(57)【特許請求の範囲】
【請求項１】
パターンの屈曲部の曲率情報と、露光装置の露光条件、或いは露光条件を特定するために設けられたフラグとの関連を記憶するライブラリと、画像情報から抽出されたパターンの曲率情報と、ライブラリに記憶された曲率情報を比較し、当該画像情報から抽出されたパターンの曲率情報に相当する露光条件、或いはフラグを抽出する演算装置とを備えたことを特徴とする半導体製造装置の管理装置。
【請求項２】
請求項１において、
前記ライブラリには、前記露光装置の露光条件と、パターンの寸法情報、及び／又はパターンの断面形状情報が関連付けて記憶されていることを特徴とする半導体製造装置の管理装置。
【請求項３】
請求項１において、
前記演算装置は、走査電子顕微鏡によって取得された画像のエッジ部の輪郭を抽出する輪郭線抽出部を有することを特徴とする半導体製造装置の管理装置。
【請求項４】
請求項１において、
前記ライブラリは、前記パターンの複数部位の曲率情報と、複数の露光条件を関連付けて記憶し、前記演算装置は、前記画像情報から抽出された複数の曲率情報と、ライブラリに記憶された複数の曲率情報を比較し、当該画像情報から抽出されたパターンの曲率情報に相当する露光条件を抽出することを特徴とする半導体製造装置の管理装置。
【請求項５】
演算装置に、画像情報から抽出されたパターンデータに基づいて、当該パターンを形成した露光装置の露光条件を推定させるコンピュータプログラムにおいて、
当該プログラムは、前記演算装置に、パターンの屈曲部の曲率情報と、露光装置の露光条件、或いは露光条件を特定するために設けられたフラグとの関連を記憶するライブラリへのアクセスを実行させ、画像情報から抽出されたパターンの曲率情報と、ライブラリに記憶された曲率情報を比較し、当該画像情報から抽出されたパターンの曲率情報に相当する露光条件を抽出させることを特徴とするコンピュータプログラム。
【請求項６】
複数の位置のパターンの形状情報と、露光装置の露光条件、或いは露光条件を特定するために設けられたフラグとの関連を記憶するライブラリと、
画像情報から抽出された複数の位置の形状情報と、ライブラリに記憶された形状情報を比較し、画像情報から抽出された複数のパターンの形状情報に相当する複数の露光条件の範囲、或いは露光条件の範囲を特定するために設けられた複数のフラグに基づいて得られる複数の露光条件の範囲の論理積に基づいて、前記露光条件を抽出する演算装置を備えたことを特徴とする半導体製造装置の管理装置。
【請求項７】
請求項６において、
前記パターンの形状情報は、前記パターンの曲率情報を含むことを特徴とする半導体製造装置の管理装置。
【請求項８】
請求項６において、
前記ライブラリには、前記パターンの形状情報として、前記パターンの曲率情報と、前記パターンの他の特徴量に関する情報が併せて記憶され、前記演算装置は、前記抽出された露光条件を、前記パターンの他の特徴量に基づいて、絞り込みを行うことを特徴とする半導体製造装置の管理装置。
【請求項９】
請求項６において、
前記パターンの他の特徴量は、前記パターンの寸法情報、及び／又は前記パターンのエッジの断面情報であることを特徴とする半導体製造装置の管理装置。
【請求項１０】
請求項６において、
前記演算装置は、前記ライブラリに記憶された前記複数の位置の形状情報と、前記露光装置のフォーカス条件との関連に基づいて、前記複数の位置の形状情報ごとのフォーカス範囲を抽出し、当該抽出されたフォーカス情報の論理積に基づいて、前記露光装置のフォーカス範囲の絞り込みを行うことを特徴とする半導体製造装置の管理装置。
【請求項１１】
請求項１０において、
前記演算装置は、前記絞り込まれたフォーカス範囲を、当該パターンの他の特徴量を用いて更に絞り込むことを特徴とする半導体製造装置の管理装置。
【請求項１２】
請求項６において、前記演算装置は、前記論理積に基づいて、前記露光装置のフォーカス条件を特定し、当該特定されたフォーカス条件と、前記パターンの他の特徴量に基づいて、前記露光装置のドーズ条件を特定することを特徴とする半導体製造装置の管理装置。
【請求項１３】
請求項６において、
前記ライブラリには、前記パターンの角度の異なる複数の部位の曲率情報が記憶されていることを特徴とする半導体製造装置の管理装置。
【請求項１４】
演算装置に、画像情報から抽出されたパターンデータに基づいて、当該パターンを形成した露光装置の露光条件を推定させるコンピュータプログラムにおいて、
当該プログラムは、前記演算装置に、複数の位置のパターンの形状情報と、露光装置の露光条件、或いは露光条件を特定するために設けられたフラグとの関連を記憶するライブラリへのアクセスを実行させ、画像情報から抽出された複数の位置の形状情報と、ライブラリに記憶された形状情報を比較させ、画像情報から抽出された複数のパターンの形状情報に相当する複数の露光条件の範囲、或いは露光条件の範囲を特定するために設けられた複数のフラグに基づいて得られる複数の露光条件の範囲の論理積に基づいて、前記露光条件を抽出させることを特徴とするコンピュータプログラム。
【発明の詳細な説明】
【技術分野】
【０００１】
本発明は、半導体製造装置の管理装置、及びその管理をコンピュータに実行させるコンピュータプログラムに係り、特に半導体パターンを露光する露光装置のプロセスモニタを可能とする半導体製造装置の管理装置、及びコンピュータプログラムに関する。
【背景技術】
【０００２】
昨今、半導体デバイス製造に於ける微細化技術の進歩により、半導体ウェハ上に形成されるパターンが微細化し、このようなパターンを形成するために用いられる露光機には高ＮＡ（レンズ開口数）化が要求され、それによって形成されるパターンの変動要因も複雑化，増大化の傾向にある。
【０００３】
このため、半導体の製造工程では露光装置の状態管理を常時行う必要があり、露光装置に異常があればその都度、露光装置の運用を中断し、装置の状態を調整する必要がある。露光装置には様々な変動要因があり、これらの変動要因によって、露光装置のＦocus（焦点状態）及びＤose（露光量の状態）が変動し、形成されるパターン形状が変化する。所望のパターン形状が転写できなくなると、半導体デバイスの歩留まりが低下するため、露光機の管理は正確に行う必要がある。
【０００４】
特許文献１には、露光装置のプロセスモニタにおいて、露光量，焦点位置の変動による断面形状の変化が大きい孤立性の高いパターンを観測対象とすると共に、電子顕微鏡等によって取得した画像情報と、露光装置の露光条件を振って作成したモデルデータとを比較することにより、露光量と焦点位置の変動を推定する手法が提案されている。また、特許文献２にもパターンの断面形状に基づいて、プロセスモニタを行う手法が開示されている。更に特許文献３には、ＳＥＭ像に基づいて得られた立体形状パターン画像の特徴量と推定モデルとを比較し、断面形状を正確に特定することによって、プロセスをモニタする手法が提案されている。更に特許文献４には、パターンの形状変化の大きな個所を、評価対象とするプロセスモニタが提案されている。また、特許文献５には、パターンの角部の丸まり等を評価対象とするパターン形状評価装置が提案されている。
【先行技術文献】
【特許文献】
【０００５】
【特許文献１】特開２００５−０６４０２３号公報（対応米国特許ＵＳＰ６，９２９，８９２）
【特許文献２】特開２００７−２２７６１８号公報（対応米国特許公開公報ＵＳ２００７／０１９８９５５）
【特許文献３】特開２００７−１２９０５９号公報（対応米国特許公開公報ＵＳ２００７／０１０５２４３）
【特許文献４】特開２００９−２０６４５３号公報（対応米国特許公開公報ＵＳ２００９／０２３１４２４）
【特許文献５】特開２００６−１２６５３２号公報（対応米国特許ＵＳＰ７，４４９，６８９）
【発明の概要】
【発明が解決しようとする課題】
【０００６】
特許文献２，４には、パターンの形状変化の大きな個所や、断面形状の評価に基づいて、プロセス評価を行うこと、特許文献１，３には、更にパターンの断面形状とモデルを比較することによってプロセス評価を行うことが説明されているが、パターン評価によって特定されるフォーカス値や露光量が広がりを持つ可能性があることについての言及がない。また、特許文献５には形状評価をプロセスモニタに適用することについての開示がない。１つのモデルデータに対するフォーカス値や露光量は、広範囲に及ぶ可能性があるため、得られた形状データとモデルデータの単なる比較では、正確なフォーカス値や露光量を特定できない場合がある。
【０００７】
更に、１次元的なパターン情報（寸法値）や３次元的なパターン形状（断面形状）情報によって、モデルを特定する手法では、やはり推定されるフォーカス値や露光量に幅があり、正確なフォーカス値や露光量を特定できない場合がある。
【０００８】
以下に、得られたパターン画像等に基づいて、正確なプロセスモニタ可能とすることを目的とする半導体製造装置の管理装置、及びコンピュータプログラムを提案する。
【課題を解決するための手段】
【０００９】
上記目的を達成するための一態様として、パターンの屈曲部の曲率情報と、露光装置の露光条件、或いは露光条件を特定するために設けられたフラグとの関連を記憶するライブラリと、画像情報から抽出されたパターンの曲率情報と、ライブラリに記憶された曲率情報を比較し、当該画像情報から抽出されたパターンの曲率情報に相当する露光条件、或いはフラグを抽出する演算装置を備えた半導体製造装置の管理装置、及び上記処理を実行するコンピュータプログラムを提案する。
【００１０】
また、上記目的を達成するための他の態様として、複数の位置のパターンの形状情報と、露光装置の露光条件、或いは露光条件を特定するために設けられたフラグとの関連を記憶するライブラリと、画像情報から抽出された複数の位置の形状情報と、ライブラリに記憶された形状情報を比較し、画像情報から抽出された複数のパターンの形状情報に相当する複数の露光条件の範囲、或いは露光条件の範囲を特定するために設けられた複数のフラグに基づいて得られる複数の露光条件の範囲の論理積に基づいて、前記露光条件を抽出する演算装置を備えた半導体製造装置の管理装置、及び上記処理を実行するコンピュータプログラムを提案する。
【発明の効果】
【００１１】
上記構成によれば、露光装置の露光条件の正確な特定を行うことが可能となる。
【図面の簡単な説明】
【００１２】
【図１】半導体の製造工程における露光装置のフォーカスの変動を示す図。
【図２】露光条件のモニタを行うためのパターン形状の一例を説明する図。
【図３】モニターパターンライブラリの作成工程の概要を説明する図。
【図４】作成されたライブラリを用いて、露光量とフォーカス量を推定する工程の概要を例示する。
【図５】ＤＦ推定ライブラリに記憶された情報に基づいて形成される曲率と露光装置のフォーカス量との関係を示すグラフの一例を説明する図。
【図６】２つのパターンのライブラリと、曲率データを比較し、それぞれのパターンのフォーカス幅を算出する例を説明する図。
【図７】２つのパターンのフォーカス幅の重畳領域（ＡＢ_ＤＷＲ，ＡＢ_ＤＷＬ）を求める工程を説明する図。
【図８】ホワイトバンドに関する情報を用いて、露光条件の絞り込みを行う例を説明する図。
【図９】露光条件の絞り込みを行うための他のパターン情報を例示する図。
【図１０】パターンの特徴量と、露光条件との関係を示す図。
【図１１】パターンの特徴量と、露光条件との関係を示す図。
【図１２】パターンの特徴量に基づいて、露光装置のドーズ量を推定する例を説明する図。
【図１３】ＦＤモニターパターンの概要を説明する図。
【図１４】パターンの曲率を求める例を説明する図。
【図１５】パターンの曲率を求める例を説明する図。
【図１６】モニターパターンの一例を説明する図。
【図１７】モニターパターンの一例を説明する図。
【図１８】露光装置のフォーカス条件の変化によって、ホール間の間隔が変化する例を説明する図。
【図１９】パターンの側壁情報を抽出する例を説明する図。
【図２０】製品設計データにはないパターンを、モニターパターンとしてウェハ上に搭載する例を説明する図。
【図２１】ＤＦ推定ライブラリを用いた露光条件推定工程を示すフローチャート。
【図２２】露光条件を推定する演算装置の概要を説明する図。
【図２３】ライブラリ記憶部に記憶されるライブラリの一例を説明する図。
【図２４】複数の測定、或いは検査装置がネットワークに接続された測定，検査システムの概略説明図。
【図２５】走査電子顕微鏡の概略構成図。
【図２６】パターンエッジから輪郭線を抽出する工程を説明する図。
【図２７】輪郭線抽出工程を示すフローチャート。
【発明を実施するための形態】
【００１３】
発明者らは、フォーカス値や露光量の変動に基づく影響が、パターンのコーナー（異なる方向に長手方向を有する２つのパターン間の接続部等）や、パターンの角部（頂角部）に、形状の変化として大きく現れるという現象を新たに見出した。そこで、本実施例では、当該部分を形状評価の対象とすると共に、これらの個所と露光装置の露光条件との関連を記憶するライブラリを用意し、当該ライブラリを参照することによって、正確な露光条件を実現する半導体製造装置の管理装置、及びコンピュータプログラムを新たに提案する。
【００１４】
また、発明者らは、設計データ上、異なる角度を有する複数の部位、角度は同じだけれども異なる位置に存在する部位等は、露光条件の変化に応じて異なる形状変化を示すことを新たに見出した。例えば設計データ上、Ｌ字型のパターンでは、パターンの屈曲部の内側部分（インナーコーナー）が２７０度に形成されているとすると、屈曲部の外側部分（アウターコーナー）は、９０度（パターンが存在する側の角度）に形成されていることになる。このように異なる角度にて形成される部位は、露光条件の変化に応じて異なるパターン形状の変化を示す。そこで本実施例では、このような新たな知見に基づいて、複数のパターン部位を形状評価対象とすると共に、当該評価結果に基づいて得られる露光条件の論理積を求めることで、露光条件の絞り込みを行う半導体製造装置の管理装置、及びコンピュータプログラムを提案する。また、一方で、同じ形状の複数のパターンを採用することによって、平均化による再現性を高めることもできる。
【００１５】
なお、本実施例では、露光状態を把握するための専用のモニターパターンを用いて露光状態を評価する手法について説明するが、半導体デバイスの回路を構成するパターンに、モニターパターンに相当するパターンが存在するのであれば、それを用いて露光条件の評価を行うようにしても良い。
【００１６】
また、上記ライブラリは、ライブラリ作成用のパターンについて、異なる焦点条件及び露光量条件の組み合わせ毎に、露光を行い、当該露光によって形成されたパターンについて、走査電子顕微鏡（Scanning Electron Microscope：ＳＥＭ）を用いて画像取得を行うことによって、作成する。より具体的には、異なる焦点条件と異なる露光量条件に基づいて、フォーカスドーズマトリックス（ＦＥＭ（Focus Exposure Matrix）と称することもある）ウェハを作成し、異なる露光条件にて形成されたパターンの同一個所のＳＥＭ画像から、ライブラリ形成に必要な情報を抽出するライブラリ作成工程を経て作成する。
【００１７】
作成されたライブラリを用いて、実際にモニタしたい被測定パターンから種々の情報を取り込み、ライブラリ情報と被測定パターン情報を対比し、互いの情報がもっとも近い焦点，露光量条件を導出する焦点，露光量条件をモニタする。このようなモニタに基づいて、露光装置（スキャナー、或いはステッパ）の変動を、インライン（量産工程）で捉えることが可能となる。
【００１８】
図１に例示するように、半導体の製造工程では、露光装置のステージチルトやウェハチャック異常，フォーカスセンサー異常等の要因により経時的に露光されるパターン形状が変化する場合がある。これらの変動要因により、フォーカスの微小なずれ（フォーカスオフセット）やチップ内での微小な形状バラつき等、変動が常時発生している（フォーカス変動許容範囲）。
【００１９】
しかし、この許容範囲内であってもチップ内での形状バラつきが大きくなるとパターンのでき栄えの均一性の観点から調整が必要となってくる。また、フォーカスセンサーの異常等により、許容範囲を超えるパターンが転写される場合もある。従って、これらの変動の状態を常に監視しておくことが安定的に半導体を製造する上で極めて重要である。露光装置の管理のために、専用のウェハを用いて露光を行い、その露光された転写パターンの１次元の寸法測定を、ＣＤ−ＳＥＭ（Critical Dimension-SEM）を用いて行うことで露光装置の変動を監視する手法が知られている。また、ＯＣＤ（光学式ＣＤ計測手法）等を用いて露光装置の管理を行うことも可能であるが、ＯＣＤは平均化計測を行うため、比較的広い面積に大量の同一形状の１次元パターンを形成する必要があり、やはり専用のウェハが必要となる。また、ＯＣＤによる計測では、１次元のラインパターンしか扱うことができないためフォーカスやドーズの変動に対する感度が十分とは言えずまた、２次元形状を考慮したフォーカスとドーズの正確な管理には不向きとなっている。
【００２０】
また、生産効率の観点から見ると、量産工程において上記の様な管理のために露光装置を停止することは生産性の観点から極力避ける必要があり、また、このための専用ウェハを用いることも避ける必要がある。
【００２１】
本実施例では、主にパターンの１次元情報や３次元情報ではなく、図２に例示するように、パターンのコーナーを含む部分の形状（即ち２次元形状）をモニタの対象としている。コーナー部は、露光装置のフォーカス条件の変動に対し、敏感に反応するため、当該部分をモニタすることによって、高精度な露光条件推定が可能となる。
【００２２】
図２４は、複数の測定、或いは検査装置がネットワークに接続された測定，検査システムの概略説明図である。当該システムには、主に半導体ウェハのパターン寸法を測定するＣＤ−ＳＥＭ２４０１、フォトマスクのパターン寸法を測定するＣＤ−ＳＥＭ２４０２、欠陥の位置情報に基づいて欠陥を検査する欠陥レビュー用ＳＥＭ（Defect Review-SEM：ＤＲ−ＳＥＭ２４０３）が含まれている。またネットワークには、後述する露光装置の管理用制御部を内蔵する管理装置２４０４、半導体デバイスの設計データと、半導体製造装置の製造条件等に基づいて、パターンのでき栄えをシミュレーションするシミュレーター２４０５、及び半導体デバイスのレイアウトデータや製造条件が登録された設計データが記憶される記憶媒体２４０６が接続されている。
【００２３】
設計データは例えばＧＤＳフォーマットやＯＡＳＩＳフォーマットなどで表現されており、所定の形式にて記憶されている。なお、設計データは、設計データを表示するソフトウェアがそのフォーマット形式を表示でき、図形データとして取り扱うことができれば、その種類は問わない。また、記憶媒体２４０６は測定装置，検査装置の制御装置、或いは管理装置２４０４，シミュレーター２４０５に内蔵するようにしても良い。
【００２４】
なお、ＣＤ−ＳＥＭ２４０１，２４０２、及びＤＲ−ＳＥＭ２４０３には、それぞれの制御装置が備えられ、各装置に必要な制御が行われるが、これらの制御装置に、上記シミュレーターの機能や測定条件等の設定機能を搭載するようにしても良い。
【００２５】
ＳＥＭでは、電子源より放出される電子ビームが複数段のレンズにて集束されると共に、集束された電子ビームは走査偏向器によって、試料上を一次元的、或いは二次元的に走査される。
【００２６】
電子ビームの走査によって試料より放出される二次電子（Secondary Electron：ＳＥ）或いは後方散乱電子（Backscattered Electron：ＢＳＥ）は、検出器により検出され、前記走査偏向器の走査に同期して、フレームメモリ等の記憶媒体に記憶される。このフレームメモリに記憶されている画像信号は、制御装置内に搭載された演算装置によって積算される。また、走査偏向器による走査は任意の大きさ，位置、及び方向について可能である。
【００２７】
以上のような制御等は、各ＳＥＭの制御装置にて行われ、電子ビームの走査の結果、得られた画像や信号は、通信回線ネットワークを介して管理装置２４０４に送られる。なお、本例では、ＳＥＭを制御する制御装置と、管理装置２４０４を別体のものとして、説明しているが、これに限られることはなく、管理装置２４０４にて装置の制御と測定処理を一括して行うようにしても良いし、各制御装置にて、ＳＥＭの制御と測定処理を併せて行うようにしても良い。
【００２８】
また、上記管理装置２４０４或いは制御装置には、測定処理を実行するためのプログラムが記憶されており、当該プログラムに従って測定、或いは演算が行われる。
【００２９】
また、管理装置２４０４は、ＳＥＭの動作を制御するプログラム（レシピ）を、半導体の設計データに基づいて作成する機能が備えられており、レシピ設定部として機能する。具体的には、設計データ，パターンの輪郭線データ、或いはシミュレーションが施された設計データ上で所望の測定点，オートフォーカス，オートスティグマ，アドレッシング点等のＳＥＭにとって必要な処理を行うための位置等を設定し、当該設定に基づいて、ＳＥＭの試料ステージや偏向器等を自動制御するためのプログラムを作成する。
【００３０】
図２５は、走査電子顕微鏡の概略構成図である。電子源２５０１から引出電極２５０２によって引き出され、図示しない加速電極によって加速された電子ビーム２５０３は、集束レンズの一形態であるコンデンサレンズ２５０４によって、絞られた後に、走査偏向器２５０５により、試料２５０９上を一次元的、或いは二次元的に走査される。電子ビーム２５０３は試料台２５０８に内蔵された電極に印加された負電圧により減速されると共に、対物レンズ２５０６のレンズ作用によって集束されて試料２５０９上に照射される。
【００３１】
電子ビーム２５０３が試料２５０９に照射されると、当該照射個所から二次電子、及び後方散乱電子のような電子２５１０が放出される。放出された電子２５１０は、試料に印加される負電圧に基づく加速作用によって、電子源方向に加速され、変換電極２５１２に衝突し、二次電子２５１１を生じさせる。変換電極２５１２から放出された二次電子２５１１は、検出器２５１３によって捕捉され、捕捉された二次電子量によって、検出器２５１３の出力が変化する。この出力に応じて図示しない表示装置の輝度が変化する。例えば二次元像を形成する場合には、走査偏向器２５０５への偏向信号と、検出器２５１３の出力との同期をとることで、走査領域の画像を形成する。なお、図２５の例では試料から放出された電子を変換電極にて一端変換して検出する例について説明しているが、無論このような構成に限られることはなく、例えば加速された電子の軌道上に、電子倍像管や検出器の検出面を配置するような構成とすることも可能である。
【００３２】
制御装置２５１５は、走査電子顕微鏡の各構成を制御すると共に、検出された電子に基づいて画像を形成する機能や、ラインプロファイルと呼ばれる検出電子の強度分布に基づいて、試料上に形成されたパターンのパターン幅を測定する機能を備えている。
【００３３】
図２４に例示した管理装置２４０４では、主に３つの作業が行われる。まず第１に異なる露光条件ごとに得られるパターンの形状情報と、露光条件との関連を記憶するライブラリを作成すること、第２にＳＥＭ等によって得られた画像に基づいて、パターンの形状情報を取得すること、第３に取得された形状情報と、予め記憶されたライブラリとの突合せを行うことによって、露光装置の露光条件（露光量（ドーズ（Ｄose）、或いはエクスポージャー（Ｅxposure）とも言う）と、焦点位置（フォーカス（Ｆocus）量とも言う））を推定することである。
【００３４】
図３及び図４に、モニターパターンライブラリの作成工程の概要、及び作成されたライブラリを用いて、露光量とフォーカス量を推定する工程の概要を説明する。まず、予め露光量とフォーカス量を推定するために用いるパターン（FD Monitor(Focus Dose Monitor）パターン）を用意する。レイアウトデータ上では、同じ形状であっても、露光条件を変えることによって、パターンの形状は変化するため、露光装置の露光条件を変化させて、異なる露光条件ごとに、パターン形成を行う。一例としてＦＥＭウェハを作成することによって、異なる露光条件のパターンを作成する。このようにして形成された露光条件ごとのパターンについて、ＳＥＭ画像を取得し、ライブラリにパターンの形状情報と関連付けて、露光条件を記憶する。図３の例では、パターンの異なる部位（コーナータイプＡ，コーナータイプＢ）と、異なる露光条件（製造条件）との関連を記憶する。
【００３５】
ライブラリ作成の段階ではドーズとフォーカスの推定（ＤＦ推定）を行うモニターパターンを露光しこのパターンの各種特徴量をＤＦ推定ライブラリに登録する。本実施例では、フォーカス変化に対し高い感度を示す十字形状パターンや複数の角部を有するパターン等、角度のあるコーナーパターンを有するモニターパターンをウェハ上に転写し、それぞれのパターンのＳＥＭ画像取得に基づいて、ライブラリを作成する。
【００３６】
本実施例では上記ウェハは、ライブラリ作成専用のものであり、製品デバイスのレイヤ（拡散工程，ポリシリコン工程，第一メタルと言った半導体を構成する各層）毎に、所望の光学条件（ＮＡ等）で作成するものである。
【００３７】
以上のようにして形成されたモニターパターンの部位ごとの情報を、ライブラリに登録する情報として抽出する。具体的には、コーナー部を構成するパターンの曲率や、パターンの線幅を演算し、当該曲率や線幅等の情報と、露光条件とを関連付けてライブラリに登録する。曲率は図１４に例示するように、ＳＥＭ画像から抽出した輪郭線に基づき算出する。具体的には、図２６に例示するように、ＳＥＭ像上のパターンのホワイトバンド２６０１の輝度分布情報２６０３に基づいて、輪郭線を抽出する。輝度分布情報２６０３は、輝度分布抽出領域２６０２の輝度変化の抽出に基づき作成する。図２７は、輪郭線の抽出工程を説明するフローチャートである。
【００３８】
輪郭線抽出は、管理装置２４０４に搭載された演算装置にて行うようにしても良いし、ＳＥＭに接続された制御装置にて行うようにしても良い。輪郭線抽出では、図２７のフローチャートに例示するように、先ず、走査電子顕微鏡を用いて、ＳＥＭ画像を形成する（ステップ２７０１）。次にＳＥＭ画像上のホワイトバンド２６０１から輝度情報分布情報に基づいて、第１の輪郭線を抽出する（ステップ２７０２）。なお、この第１の輪郭線の抽出手法としては、ＳＥＭ像からビットマップデータで構成されたパターン像を抽出し、そのパターン像をベクトルデータで構成されたパターンデータに変換する方法が考えられる。
【００３９】
次に、形成された第１の輪郭線とレイアウトデータ２６０４とのベクトルデータ比較、或いはパターンマッチングによって、レイアウトデータ２６０４と第１の輪郭線との重ね合わせ（対応付け）を行う（ステップ２７０３）。レイアウトデータ２６０４は、ＧＤＳフォーマット等で記憶された設計データの線分情報である。このような重ね合わせを行った上で、輝度分布情報収集領域を、第１の輪郭線２６０４と垂直になるように設定し、輝度分布を検出する（ステップ２７０４）。このように形成された輝度分布の所定の明るさを持つ画素を抽出しその位置を第２の輪郭線位置と定義することで、より正確な輪郭線の形成が可能となる（ステップ２７０５）。
【００４０】
なお、このような正確な輪郭線形成手法は、特開昭６０−１６９９７７号公報，特開平６−３２５１７６号公報，特開平８−１６１５０８号公報，特開平９−２０４５２９号公報等に記載された既存の手法の適用が可能である。
【００４１】
また、上述の例では、実際にモニターパターンを露光し、得られたパターンのＳＥＭ画像に基づいて、パターン形状の特徴量を算出しているが、これに限られることはなく、例えば、シミュレーター２４０５を用いた露光シミュレーション等によっても、上記ライブラリの作成が可能である。また、ＳＥＭ画像によって得られた形状情報と、シミュレーターを用いて求められた形状情報の双方を用いて、ライブラリを作成することも可能である。また、両者の情報をライブラリに記憶しておき、実際の計測時に両者の情報を組み合わせることによって、露光条件の絞り込みを行うことも可能である。
【００４２】
図２２は、管理装置２４０４内部の演算装置の概要を説明する図である。演算装置２２０１内には、ＣＤ−ＳＥＭ２４０１等からの画像データを取得するためのＳＥＭ画像取得部２２０２と、当該画像データを記憶する取得画像記憶部２２０９が設けられている。輪郭線抽出部２２０３は、得られたＳＥＭ画像から、図２７に例示するような工程を経て輪郭線情報を抽出する。抽出された輪郭線に関する情報は、輪郭線データ記憶部２２１０に記憶される。なお、ＳＥＭ画像取得部２２０２や輪郭線抽出部２２０３は、ＳＥＭに設けられた制御装置に搭載しても良く、演算装置２２０１は、ＳＥＭに設けられた制御装置から、必要な情報を選択的に取得するようにしても良い。
【００４３】
ライブラリ作成部２２０４は、図３に例示したような工程を経て、ライブラリを作成する。パターンの部位ごとの形状情報と、製造情報を関連づけてライブラリを作成し、その関連情報を、ライブラリ記憶部２２１１に記憶する。曲率演算部２２０５は、ライブラリ作成に供される形状情報の１つである曲率データを、輪郭線データ記憶部２２１０に記憶された輪郭線データに基づいて演算する。パターンのコーナー部の曲率は、例えば得られた輪郭線に既知の曲率を持つ複数のカーブをフィッティングさせ、最も輪郭線に近いカーブの曲率を当該輪郭線の曲率として、決定するようにしても良いし、他の既知の曲率判定法を適用するようにしても良い。このようにして決定された曲率に関する情報は、製造条件に関する情報と共に、ライブラリに記憶される。比較演算部２２０６は、半導体の量産工程等にて形成されたパターンの輪郭線データに基づいて抽出された曲率データと、ライブラリに記憶された曲率データとを比較し、後述するように適合するドーズ量等の決定を行う。このようにして決定されたドーズ量に関する情報は、演算結果記憶部２２１２に記憶される。この比較工程では、ライブラリに記憶された曲率データに所定の幅を持たせておき、当該曲率データ幅に適合する曲率データが得られたときに、当該曲率データをライブラリに記憶された曲率データであると判定するようにしても良い。
【００４４】
露光条件範囲特定部２２０７は、演算結果記憶部２２１２に記憶されたドーズ量に基づいて、フォーカス範囲を決定する。詳細は後述する。また、絞込み部２２０８では、後述するような手法に基づいて、フォーカス範囲等の絞り込みを行う。なお、本実施例では、ライブラリには露光条件がパターンの形状情報（曲率データ等）と関連付けて記憶される例について説明するが、これに限られることはなく、各露光条件を示すフラグと、形状情報を関連付けて記憶し、当該フラグを特定することによって、結果として露光条件を特定するようにしても良い。このような場合、当該フラグと露光機のコンディションとの関係を露光機コンディション記憶部２２１３に記憶しておき、フラグの特定に基づいて、露光機条件を読み出すようにしても良い。
【００４５】
なお、図２２の例では演算装置内に、記憶媒体が内蔵され、必要に応じて、演算部が記憶部にアクセス可能となるように構成されているが、記憶媒体を外部に設置し、必要に応じて演算装置がアクセスするようにしても良い。
【００４６】
図２３は、ライブラリ記憶部２２１１に記憶されるライブラリの一例を説明する図である。本例では、製造条件，パターン形状（例えばコーナータイプ），露光機の条件，曲率データ、及び他の露光機条件を絞り込むのに用いられる他のパターン形状情報等が関連付けて記憶される。パターンの形状情報の詳細については後述する。
【００４７】
図４は、実際に露光装置を用いて、半導体ウェハを量産している過程において、作成されたライブラリを用いて、露光量とフォーカス量を推定する工程の概要を説明する図である。本実施例では、ウェハ上に、実際に半導体デバイスを形成するパターンと、ＦＤモニターパターンを混在させる例について説明するが、これに限られることはなく、例えばＦＤモニターパターンに相当する実パターンを用いて、露光条件の評価を行うようにしても良い。
【００４８】
図４の例は、ＦＤモニタの画像を取得する画像取得条件を、レシピ作成装置によって作成する例を示している。ＦＤモニターパターンは、設計データ（レイアウトデータ）にも記憶されているため、その座標情報に基づいて画像取得条件を決定することができる。本実施例では管理装置２４０４はレシピ作成装置として機能する。
【００４９】
演算装置は、量産ウェハの製造工程において形成されたモニターパターンの各部位について、線幅およびコーナー部を構成するパターンの曲率を算出する。尚、この演算の対象となるチップは上記のライブラリ作成の段階で用いたＦＥＭウェハとは異なり、製品デバイスの製造用に最適化されたドーズおよびフォーカスに調整された均一条件のウェハであるため、プロセスウインドウとして規定されている領域の範囲内のチップを対象とする。
【００５０】
量産工程で製造されたウェハを用いて、当該ウェハがどの様なドーズとフォーカスで露光されたかを推定するには、上述のようにＦＤモニターパターンを用いて、ライブラリ作成の段階で算出された曲率との相関を求め、最も一致する曲率と関連づけて記憶された露光条件が、その推定値となる。
【００５１】
この際、一致する曲率がライブラリ内に複数検出された場合は、線幅測定の際に算出されたＳＥＭ画像のホワイトバンドを推定の指標として加え、このホワイトバンドの傾きと曲率から一致するフォーカスを決定することもできる。
【００５２】
次に、製品ウェハに搭載されたモニターパターンの線幅の計測値からライブラリを検索し、一致するドーズ値を算出する。この際、複数のドーズ値が算出された場合、上記で決定したフォーカス値と線幅の計測値から最も一致するドーズ値を真の値として推定を行うようにしても良い。
【００５３】
この結果、推定によって得られたフォーカス値とドーズ値が、予め設定されている最適値と異なる場合、露光装置の調整等の装置管理の作業を行い、製品製造工程の状態を維持する作業を行う。
【００５４】
図４に例示する調整量演算部は、導出された推定露光条件と、理想的な露光条件との差異を算出し、その値を調整量として出力する。調整量演算部は、露光装置に設けても良いし、管理装置２４０４に内蔵するようにしても良い。
【００５５】
以上のような構成によれば、製品デバイス毎の露光装置調整のためのレシピ作成の効率化を実現することができる。製品デバイスを新規に製造する際に、予め調整されている露光装置の状態を把握するために、上述のような推定方法を用いることによって、露光装置の稼動を制御するレシピの調整作業を効率化することができる。本方式を用いてウェハの全面に及ぶモニターパターンを用いて、露光装置のドーズとフォーカスを推定しウェハ面内のパターン仕上がり均一性の評価を行い、所望のでき栄えの達成状況を把握し、レシピの検証を行いレシピの調整を行うことが可能となる。
【００５６】
また、量産工程において、ＦＤモニターパターンの評価を行うことによって、露光装置の迅速な管理を行うことができ、生産効率を下げること無く歩留まりの維持を図ることが可能となる。
【００５７】
更に、パターンでき栄えが悪化している場合、推定異常結果が得られるため、この異常値を用いることで、パターン製造プロセス異常を検知することができ、プロセス改善の施策を講じることが可能となる。
【００５８】
以下、より具体的に、露光装置の露光条件推定法について説明する。図５はＤＦ推定ライブラリに記憶された情報に基づいて形成される曲率と露光装置のフォーカス量との関係を示すグラフの一例である。本例では、異なるドーズ量毎に、曲率の変化とフォーカス量の変化との関係を示すカーブを形成している。このようなＤＦ推定ライブラリを用いた露光条件推定工程を示すフローチャートを図２１に例示する。先ず、対象となるＦＤモニターパターンのＳＥＭ画像を取得する（ステップ２１０１）。次に先述した手法等を用いてパターンエッジの輪郭線化を行う（ステップ２１０２）。そして、ＦＤモニターパターンの各種コーナー部位（ＲＯＩ：Region Of Interest）の曲率をターゲットの曲率として算出する（ステップ２１０３）。この曲率を求める基準の位置として、図１５に例示するように、設計データを基準として決定した任意の位置から、延びると共に、輪郭線に対して法線となる複数の直線（基準線Ｌ，Ｍ，Ｎ）と、輪郭線の交点を輪郭線判定の基準位置として設定することも可能である輪郭線判定の基準位置を複数設けることによって、輪郭線の曲率演算精度を高めることができる。
【００５９】
次にこの算出されたターゲットの曲率データと、ライブラリ内に記憶された当該ターゲットと同一個所のパターン部位の曲率データを比較する（ステップ２１０４）。なお、ライブラリには、複数のドーズ毎の曲率データと、フォーカス値が関連付けて記憶されている。即ち、１の曲率に対し、複数のフォーカス量がライブラリに記憶されている場合がある。即ち、図５に例示するように、ある曲率に対し、複数のドーズ量がライブラリデータ上で関連し、当該複数のドーズ量に関連するフォーカス値は幅を持つことになる。また、フォーカス値がマイナス（アンダーフォーカス）のときと、プラス（オーバーフォーカス）のときの双方で、ある幅を持ったフォーカス値が検出される。本実施例では、マイナス側の或る曲率データを持つフォーカス値の幅を、Ｘ_ＤＷＲ，プラス側の或る曲率データを持つフォーカス値の幅を、Ｘ_ＤＷＬと定義する。Ｘはパターンの種類によって変化する変数である。
【００６０】
ステップ２１０４にて実施したライブラリとの比較を、所定のパターン数、或いは所定のパターン部位毎に実行する（ステップ２１０５）。このように複数の評価対象について、Ｘ_ＤＷＲ，Ｘ_ＤＷＬに相当するデータを算出する。図６は、２つのパターン（パターンＡ，パターンＢ）のライブラリと、曲率データを比較し、それぞれのパターンのフォーカス幅（Ａ_ＤＷＲ，Ａ_ＤＲＬ）、及び（Ｂ_ＤＷＲ，Ｂ_ＤＲＬ）を算出した例を示している。
【００６１】
このようにして求められた複数パターンのフォーカス幅の論理積を求めることによって、ＤＷＲとＤＷＬの絞り込みを行う（ステップ２１０６）。図７は、２つのパターンのフォーカス幅の重畳領域（ＡＢ_ＤＷＲ，ＡＢ_ＤＷＬ）を求める工程を例示している。
【００６２】
以上のように、フォーカス条件の変化に応じて異なる変化を示すパターン或いはパターン部位毎に、フォーカス幅を求め、その論理積を計算することで、フォーカス幅を絞り込むことができ、結果として、正確なフォーカスの特定（ステップ２１０７）を行うことができる。なお、本実施例では、２つの異なるパターン、或いはパターン部位をターゲットとした例を説明したが、これに限られることはなく、例えば３つ以上のパターン部位を用いた絞り込みを行うようにしても良い。ターゲットの数が多いほど、より狭い範囲までフォーカス幅を絞り込むことができる。
【００６３】
なお、本実施例では、図２１に例示する工程を経て抽出されたフォーカス幅がまだ十分に絞り込めておらず、ある幅を持っているケースを説明している。以下に、上述のような工程を経ても、まだ、露光装置条件が十分に絞り込めない場合に、更にその絞り込みを実現するための手法を説明する。図８はその概要を説明する図である。本例では、曲率データ以外のデータを用いて、更なる絞り込みを行う手法を説明する。図８は、パターンエッジのホワイトバンドの情報に基づいて、フォーカス幅の絞り込みを行う手法を例示している。この手法を採用するためには、予め、ライブラリにパターンの任意の位置のホワイトバンドの情報（ホワイトバンドの幅，輝度変化情報等のホワイトバンドに関する指標値）と、露光装置の露光条件に関する情報を関連付けて記憶しておく必要がある。実際に取得されたＳＥＭ画像から抽出したホワイトバンドに関する情報と、ライブラリを比較し、当該ホワイトバンドに関する情報と関連するフォーカスデータを抽出し、上記絞り込みに用いることによって、更に正確なフォーカス量の特定を行うことが可能となる。
【００６４】
以上のように、露光条件の変化に対して敏感に反応するパターンの屈曲部に存在する曲率を用いた絞り込みを行いつつも、他のパターン情報を加味することによって、更に正確な露光条件の推定を行うことが可能となる。
【００６５】
図９は、露光条件の絞り込みを行うための他のパターン情報を例示した図である。ライブラリには、図９に例示するような９つの情報の少なくとも１つを登録しておき、ＳＥＭ画像から抽出された情報との比較を行うことによって、露光条件の絞り込みを行うようにしても良い。図９は、ＳＥＭ画像に基づいて得られるラインプロファイルから、Bottom CD（ＢＣＤ），Top CD（ＴＣＤ），Peak CD（ＰＣＤ），Right White Band（ＲＷＢ），Right Top Rounding（ＲＴＲ），Right Bottom Footing（ＲＢＦ），Left White Band（ＬＷＲ），Left Top Rounding（ＬＴＲ），Left Bottom Footing（ＬＢＦ）が抽出可能であることを示している。これらの情報は、ラインプロファイルから得られる情報であり、ライブラリ作成時、或いは実際の測定時に抽出可能な情報である。
【００６６】
図１０，図１１に例示するように、露光装置のフォーカス値との関係において特にホワイトバンドは、リニアな変化を示すため、露光条件の絞り込みに適用するのに好適である。
【００６７】
次に、先に推定した推定フォーカス値に基づいて、ドーズ量を推定する手法を、図１２を用いて説明する。本例では、先に算出した推定フォーカス値と、ターゲットの寸法値（ＣＤ値）を用いて、ドーズ量を推定する。より具体的には、推定されたフォーカス値に相当する複数のドーズ量（或いはドーズ幅）の中から、ＣＤ値が合致するものを、推定ドーズ量とする。ライブラリには、ドーズ量とＣＤ値（図９に例示する寸法値等）が関連付けて記憶されているため、ＳＥＭ画像から得られるＣＤ値を当該ライブラリに突き合わせることによって、正確なドーズ量の特定が可能となる。
【００６８】
本実施例では、主に量産される試料（半導体ウェハ）上に、実際に半導体パターンを形成するパターンとは別に、モニターパターンを形成する例を説明した。このようなモニターパターンの好適な条件としては、以下のようなものが挙げられる。
【００６９】
例えば、図１３に例示するように、２次元情報を特定するための複数の屈曲部が存在すること、チップ内に複数配置が可能であること、デバイスチップ内に配置が可能であること、デバイスチップ内に配置が可能であること、及びスキャナ等の露光装置のショット内の情報が得られること等が、好適な条件として挙げられる。
【００７０】
更に、推定のための情報量を増やすために、パターンの屈曲部の曲率等の２次元情報だけではなく、寸法値のような１次元情報や、断面形状のような３次元情報を抽出し得るものであることが挙げられる。また、走査電子顕微鏡の測定倍率に収まる大きさのパターンとすることによって、計測時間を抑制することができる。また、曲率データを得るパターンとは別に、コンタクトホールのホール間の距離も絞り込みを行うための情報として採用することによって、推定精度を向上することができる。図１８に例示するように、露光装置のフォーカス条件が変化すると、ホール間間隔が変化する傾向を示すため、露光条件の絞り込みを行うための好適なパラメータであると言える。
【００７１】
また、図１６，図１７に例示するように、パターンのコーナーの数が多く、また、コーナーの角度に多くのバリエーションが多いパターンを採用することによって、絞り込みの精度を高めることができ、更に同一形状（方向）のコーナーの情報を複数用いることによって、平均化による再現性向上をも実現することが可能となる。更にコーナー部と直線部分を評価対象とすることによって、両者は露光条件の変化によって異なる挙動を示すと考えられるため、異なる指標に基づく絞り込みを行うことが可能となる。
【００７２】
また、１次元情報や２次元情報と併せて、３次元情報を絞り込みのための情報として適用するために、図１９に例示するように、パターンエッジの側壁の形状情報をライブラリに記憶し、側壁の形状情報を用いて露光条件の絞り込みを行うようにしても良い。図１９は、輪郭線抽出に用いたパターンの各部位のプロファイル波形に基づいて、エッジ部分に関し、各部位の高さ方向の情報を求め、当該側壁情報を、ライブラリに記憶することによって、絞り込みのための指標とする例を説明している。
【００７３】
図２０は、製品設計データにはないパターンを、モニターパターンとしてウェハ上に搭載する例を説明する図である。
【００７４】
モニターパターンの配置場所として、レイアウト上空いた場所やＣＭＰのためのダミーパターンの周辺等の回路的に意味を成さない領域を用いる。
【００７５】
モニターパターンの測定のためのレシピ作成については、モニターパターンを配置した位置の座標を入力として設計データを解析することによりアドレッシング位置及びオートフォーカス位置と言った測定のための一連のレシピ情報を自動生成することができる。
【００７６】
また、先に述べた様に十字パターン等のコーナー部等の個別の測定部位（ＲＯＩ）の自動認識も設計データ上で認識することができるため、オフラインでの完全自動化されたモニタのためのレシピ生成が可能となる。
【符号の説明】
【００７７】
２４０１，２４０２  ＣＤ−ＳＥＭ
２４０３  欠陥レビュー用ＳＥＭ
２４０４  管理装置
２４０５  シミュレーター
２４０６  記憶媒体
【図１】
0005286337.tif 000002
【図２】
0005286337.tif 000003
【図３】
0005286337.tif 000004
【図４】
0005286337.tif 000005
【図５】
0005286337.tif 000006
【図６】
0005286337.tif 000007
【図７】
0005286337.tif 000008
【図８】
0005286337.tif 000009
【図９】
0005286337.tif 000010
【図１０】
0005286337.tif 000011
【図１１】
0005286337.tif 000012
【図１２】
0005286337.tif 000013
【図１３】
0005286337.tif 000014
【図１４】
0005286337.tif 000015
【図１５】
0005286337.tif 000016
【図１６】
0005286337.tif 000017
【図１７】
0005286337.tif 000018
【図１８】
0005286337.tif 000019
【図１９】
0005286337.tif 000020
【図２０】
0005286337.tif 000021
【図２１】
0005286337.tif 000022
【図２２】
0005286337.tif 000023
【図２３】
0005286337.tif 000024
【図２４】
0005286337.tif 000025
【図２５】
0005286337.tif 000026
【図２６】
0005286337.tif 000027
【図２７】
0005286337.tif 000028